(57)【要約】【課題】両面テープ周辺における滑りを防ぎ、触った感じの違和感をなくすと共に、強度を向上させる。【解決手段】正面側キャビネット３の周縁に沿って正面側キャビネット３及び背面側キャビネット４を接着する両面テープ８が貼り付けられるテープ貼付部９を設ける。背面側キャビネット４の正面にテープ貼付部９に沿ってテープ貼付部９を背面側キャビネット４の周壁４ａとで挟み込む突条１３を設ける。【選択図】図１
2014033393.tif 000002
【特許請求の範囲】
【請求項１】
表示部が収容される正面側キャビネットと、
上記正面側キャビネットを背面側から覆う背面側キャビネットと、
上記正面側キャビネットの周縁に沿って設けられ、該正面側キャビネット及び上記背面側キャビネットを接着する両面テープが貼り付けられるテープ貼付部と、
上記背面側キャビネットの正面に上記テープ貼付部に沿って設けられ、該テープ貼付部を該背面側キャビネットの周壁とで挟み込む突条とを備えている
ことを特徴とする携帯端末。
【請求項２】
請求項１に記載の携帯端末において、
上記突条は、離散的に配置され、一対の突条間の隙間に上記正面側キャビネットに形成した突起が挿入されている
ことを特徴とする携帯端末。
【請求項３】
請求項１又は２に記載の携帯端末において、
上記突条は、上記背面側キャビネットに収容されるアンテナ部材の周辺に配置されている
ことを特徴とする携帯端末。
【発明の詳細な説明】
【技術分野】
【０００１】
本発明は、携帯端末に関し、特にその筐体の構造に関する。
【背景技術】
【０００２】
従来より、表示部が収容される正面側キャビネットと、この正面側キャビネットを背面側から覆う背面側キャビネットとを両面テープで固定する携帯端末は知られている。
【０００３】
例えば、特許文献１の携帯電話機の表示ユニットは、金属板が樹脂部にインサート成形された表示筐体と、防水性の両面テープを介して、表示筐体に水密に取り付けられることにより、回路基板を覆うリアパネルとを有する。
【先行技術文献】
【特許文献】
【０００４】
【特許文献１】特開２０１２−９５１５２号公報
【発明の概要】
【発明が解決しようとする課題】
【０００５】
しかしながら、特許文献１のような従来の携帯端末では、両面テープだけで２つのキャビネット（表示筐体とリアパネル）を接着しているので、特にサイズが大きくなると、リアパネルが両面テープの幅方向に動きやすくなり、触った感じに違和感が生じたり、落下時にキャビネットが破損しやすくなったりするという問題がある。
【０００６】
本発明は、かかるに鑑みてなされたものであり、その目的とするところは、両面テープ周辺における滑りを防ぎ、触った感じの違和感をなくすと共に、強度を向上させることにある。
【課題を解決するための手段】
【０００７】
上記の目的を達成するために、この発明では、両面テープ周辺に挟み込み構造を設けた。
【０００８】
具体的には、第１の発明では、
表示部が収容される正面側キャビネットと、
上記正面側キャビネットを背面側から覆う背面側キャビネットと、
上記正面側キャビネットの周縁に沿って設けられ、該正面側キャビネット及び上記背面側キャビネットを接着する両面テープが貼り付けられるテープ貼付部と、
上記背面側キャビネットの正面に上記テープ貼付部に沿って設けられ、該テープ貼付部を該背面側キャビネットの周壁とで挟み込む突条とを備えている。
【０００９】
上記の構成によると、両面テープが貼り付けられる、正面側キャビネットのテープ貼付部が背面側キャビネットの突条と周壁とで挟み込まれるので、両面テープ周辺での正面側キャビネットと背面側キャビネットとの間の滑りが防止され、触った感じの違和感がない。また、突条と周壁とで確実に挟み込むので、強度が向上し、落下時等に破損しにくい。
【００１０】
第２の発明では、第１の発明において、
上記突条は、離散的に配置され、一対の突条間の隙間に上記正面側キャビネットに形成した突起が挿入されている。
【００１１】
上記の構成によると、突条に沿う方向の正面側キャビネットと背面側キャビネットとの間のずれが防止でき、さらなる強度アップ及び触感の悪化防止が図られる。
【００１２】
第３の発明では、第１又は第２の発明において、
上記突条は、上記背面側キャビネットに収容されるアンテナ部材の周辺に配置されている。
【００１３】
上記の構成によると、衝撃に弱いアンテナ部材が効果的に保護される。
【発明の効果】
【００１４】
以上説明したように、本発明によれば、背面側キャビネットの正面に正面側キャビネットのテープ貼付部に沿って、このテープ貼付部を背面側キャビネットの周壁とで挟み込む突条を設けたことにより、両面テープ周辺における滑りを防ぎ、触った感じの違和感をなくすと共に、強度を向上させることができる。
【図面の簡単な説明】
【００１５】
【図１】図２のＩ−Ｉ線拡大断面図である。
【図２】本発明の実施形態に係る携帯端末を示す正面図である。
【図３】携帯端末を背面側から見た分解斜視図である。
【図４】携帯端末を正面側から見た分解斜視図である。
【図５】正面側キャビネットの背面図である。
【図６】背面側キャビネットの正面図である。
【図７】図５のVII部拡大図である。
【図８】図６のVIII部拡大図である。
【発明を実施するための形態】
【００１６】
以下、本発明の実施形態を図面に基づいて説明する。
【００１７】
図２は本発明の実施形態の携帯端末１を示し、この携帯端末１は、例えば、通信機能を有するタブレット型コンピューターよりなり、表示部２が収容される矩形板状の正面側キャビネット３を備えている。図１、図３及び図４に示すように、正面側キャビネット３は、例えば樹脂成形品よりなり、表示部２のタッチパネルガラス２ａを貼り付けるカバー取付部３ａが正面側に凹陥されている。その内周側には、液晶ユニット２ｂが収容される液晶収容部３ｂが凹陥されている。液晶収容部３ｂの底部の背面側には、例えばＬ字状のメイン基板５が基板固定テープ６にて貼り付けられている。
【００１８】
正面側キャビネット３は、背面側から矩形皿状の背面側キャビネット４で覆われている。背面側キャビネット４は、例えば樹脂成形品よりなる。
【００１９】
また、メイン基板５を避けるように矩形板状の充電池７が収容されている。詳しくは説明しないが、この充電池７は、例えば格子状の充電池テープ７ａによって背面側キャビネット４の正面側に貼り付けられている。
【００２０】
図５及び図７に示すように、正面側キャビネット３の周縁には、この正面側キャビネット３と背面側キャビネット４とを接着する両面テープ８が貼り付けられるテープ貼付部９が矩形枠状に背面側に向かって突設されている。このテープ貼付部９の背面は、平坦となっており、両面テープ８の幅よりも若干幅が広くなっている。また、テープ貼付部９の側面９ａは、携帯端末１の側面よりも若干内側に奥まっており、この奥まった部分に背面側キャビネット４の４辺の周壁４ａが嵌め込まれるようになっている。両面テープ８は防水性を有する。
【００２１】
また、携帯端末１は、例えばメインアンテナ１０とサブアンテナ１１とを有し、これらは、それぞれテープ貼付部９の内側に形成したアンテナ収容部１２に収容され、図示しないケーブルでメイン基板５に接続されている。
【００２２】
そして、図６及び図８に示すように、背面側キャビネット４の正面には、テープ貼付部９の内側にテープ貼付部９に沿って離散的に突条１３が正面に向かって立設されている。突条１３の高さは特に限定されないが、周壁４ａに比べて格段に低くてもよい。複数の突条１３が並んでいる部分には、２つの突条１３間に隙間よりなる嵌合部１４が形成されている。図５及び図７に示すように、この嵌合部１４と、突条１３の長手方向両端に対応する部分とには、嵌合部１４に挿入され、又は、突条１３を両側から挟む突起１５が突設されている。また、突条１３の配置位置には特に制限はないが、少なくともメインアンテナ１０の周辺とサブアンテナ１１との周辺に配置されている。
【００２３】
そして、図１に示すように、テープ貼付部９は、背面側キャビネット４の周壁４ａと突条１３とで挟み込まれ、その挟み込まれた部分で両面テープ８により、テープ貼付部９の背面と背面側キャビネット４の正面とが接着されている。これにより、正面側キャビネット３と背面側キャビネット４との間の防水性も確保されている。
【００２４】
このように、両面テープ８が貼り付けられる、正面側キャビネット３のテープ貼付部９が、背面側キャビネット４の突条１３と周壁４ａとで挟み込まれるので、両面テープ８周辺での正面側キャビネット３と背面側キャビネット４との間の滑りが防止される。このため、触った感じの違和感がない。また、突条１３と周壁４ａとで確実に挟み込むので、強度が向上し、落下時等に破損しにくい。
【００２５】
しかも、嵌合部１４に突起１５が挿入され、突条１３の両端が突起１５で挟まれるので、突条１３に沿う方向の正面側キャビネット３と背面側キャビネット４との間のずれを防止でき、さらなる強度アップ及び触感の悪化防止を図ることができる。
【００２６】
また、突条１３を背面側キャビネット４に収容されるメインアンテナ１０の周辺とサブアンテナ１１の周辺とに配置したので、衝撃に弱いアンテナ部材が効果的に保護される。
【００２７】
（その他の実施形態）
本発明は、上記実施形態について、以下のような構成としてもよい。
【００２８】
すなわち、上記実施形態では、携帯端末１は、タブレット型コンピューターとしたが、携帯電話機、ＰＨＳ（Personal Handy-phone System ）、ＰＤＡ(Personal Digital Assistant)、スマートフォン、ノートパソコン、モバイルツール、電子辞書、電卓、ゲーム機等であってもよい。
【００２９】
なお、以上の実施形態は、本質的に好ましい例示であって、本発明、その適用物や用途の範囲を制限することを意図するものではない。
【産業上の利用可能性】
【００３０】
以上説明したように、本発明は、タブレット型コンピューターなどの携帯端末について有用である。
【符号の説明】
【００３１】
１      携帯端末
２      表示部
２ａ    タッチパネルガラス
２ｂ    液晶ユニット
３      正面側キャビネット
３ａ    カバー取付部
３ｂ    液晶収容部
４      背面側キャビネット
４ａ    周壁
５      メイン基板
６      基板固定テープ
７      充電池
７ａ    充電池テープ
８      両面テープ
９      テープ貼付部
９ａ    側面
１０      メインアンテナ（アンテナ部材）
１１      サブアンテナ（アンテナ部材）
１２      アンテナ収容部
１３      突条
１４      嵌合部
１５      突起
【図１】
2014033393.tif 000003
【図２】
2014033393.tif 000004
【図３】
2014033393.tif 000005
【図４】
2014033393.tif 000006
【図５】
2014033393.tif 000007
【図６】
2014033393.tif 000008
【図７】
2014033393.tif 000009
【図８】
2014033393.tif 000010